(57)【要約】【課題】簡単な構造で製造コストが嵩むことがなく冷蔵庫での保存に好適な小型形状でありながら、米の所要量の計量が容易で米を取り出す作業に手間が掛からない米びつを提供する。【解決手段】有底で上面開口を有する容器本体２、及び前記上面開口を塞ぐ蓋体３からなる米を貯蔵する米びつ１であって、容器本体２内に仕切体７を備える。蓋体３は、仕切体７により仕切られた複数の仕切体収容空間Ｄ２６，Ｄ１６，…に対応する複数の開口部Ａ２６，Ａ１６，…を有するとともに、前記開口部を個別に開閉可能な複数の開閉部１１〜１６を備える。仕切体７の上面７Ａと蓋体３とが当接することにより、底板上面６Ａから開口部Ａ２６，Ａ１６，…へ繋がる複数の分割収容空間Ｓ２６，Ｓ１６，…を形成し、仕切体収容空間Ｄ２６，Ｄ１６，…の容積、又は分割収容空間Ｓ２６，Ｓ１６，…の容積を、米の所定量とする。【選択図】図２
2018175785.tif 000002
【特許請求の範囲】
【請求項１】
有底で上面開口を有する容器本体、及び前記上面開口を塞ぐ蓋体からなる、食用の米を貯蔵する米びつであって、
前記容器本体内に、前記容器本体の側壁内面及び底板上面に当接するように装着された仕切体を備え、
前記蓋体は、前記仕切体により仕切られた複数の仕切体収容空間に対応する複数の開口部を有するとともに、前記開口部を個別に開閉可能な複数の開閉部を備え、
前記仕切体の上面と前記蓋体とが当接することにより、前記底板上面から前記開口部へ繋がる複数の分割収容空間を形成し、
前記仕切体収容空間の容積、又は前記分割収容空間の容積は、前記米の所定量であることを特徴とする米びつ。
【請求項２】
前記蓋体の開閉部は、前記蓋体の基部により水平方向へスライド可能に支持されたものである、
請求項１記載の米びつ。
【請求項３】
有底で上面開口を有する容器本体、及び前記上面開口を塞ぐ蓋体からなる、食用の米を貯蔵する米びつであって、
前記容器本体内に、前記容器本体の側壁内面及び底板上面に当接するように装着された仕切体を備え、
前記蓋体は、その基部により水平方向へスライド可能に支持された一つの開閉部を備え、
前記仕切体は、前記開閉部のスライド方向に並ぶ複数の仕切体収容空間を形成し、
前記蓋体は、前記複数の仕切体収容空間に対応する複数の開口部を有し、
前記仕切体の上面と前記蓋体とが当接することにより、前記底板上面から前記開口部へ繋がる複数の分割収容空間を形成し、
前記仕切体収容空間の容積、又は前記分割収容空間の容積は、前記米の所定量であり、
前記開閉部をスライドさせる位置により、前記開口部を順次開放可能としたことを特徴とする米びつ。
【請求項４】
有底で上面開口を有する容器本体、及び前記上面開口を塞ぐ蓋体からなる、食用の米を貯蔵する米びつであって、
前記容器本体内に、前記容器本体の側壁内面及び底板上面に当接するように装着された仕切体を備え、
前記蓋体は、前記容器本体により水平方向へスライド可能に支持され、
前記仕切体は、前記蓋体の下面に当接する上面を有して、前記蓋体のスライド方向に並ぶ複数の仕切体収容空間を形成し、
前記仕切体収容空間の容積は、前記米の所定量であり、
前記開閉部をスライドさせる位置により、前記仕切体収容空間の上面開口部を順次開放可能としたことを特徴とする米びつ。
【請求項５】
平面視で角丸長方形状又は長方形状である、
請求項１〜４の何れか１項に記載の米びつ。
【請求項６】
前記米の所定量は、精白米の所定量であり、
前記仕切体収容空間内で、前記底板上面に当接する嵩上げ台を備え、
前記仕切体収容空間の容積から前記嵩上げ台の上面から下の嵩上げ容積を除いた容積、又は前記分割収容空間の容積から前記嵩上げ台の上面から下の嵩上げ容積を除いた容積を、無洗米の所定量としてなる、
請求項１〜５の何れか１項に記載の米びつ。
【請求項７】
前記容器本体を透明又は半透明とし、前記容器本体に、精白米の所定量を収容する高さ位置、及び無洗米の所定量に対応する高さ位置にマーキングをしてなる、
請求項１〜５の何れか１項に記載の米びつ。
【発明の詳細な説明】
【技術分野】
【０００１】
本発明は、有底で上面開口を有する容器本体、及び前記上面開口を塞ぐ蓋体からなる、食用の米を貯蔵し、ご飯を炊く際に前記米を取り出す米びつに関する。
【背景技術】
【０００２】
御飯を炊くための米を貯蔵する米びつとして、レバー等を操作することにより定量の米（例えば、１合、２合など）が排出される、計量機能付きで大型の計量米びつがある（例えば、特許文献１参照）。
また、前記計量米びつのような計量機能がない、簡単な構造で小型の米びつとして、有底で上面開口を有する容器本体、及び前記開口を塞ぐ蓋体を有するものがある（例えば、特許文献２及び３参照）。
【０００３】
特許文献２の米びつは、２ｋｇないし２０ｋｇ程度の米を収容し、蓋体を開けて容器本体に計量カップを入れ、米を入れた計量カップを取り出すことにより、計量カップの容積である定量の米を取り出すものである。
また、特許文献３の米びつは、容器本体を６合〜１２合の米が入る大きさに形成するとともに、蓋体を１合、２合又は３合升として、容器本体から蓋体に米を入れることにより、蓋体の容積である定量の米を取り出すものである。
【先行技術文献】
【特許文献】
【０００４】
【特許文献１】特開２０１０−１８７７８３号公報
【特許文献２】特開平１１−２９０２２８号公報
【特許文献３】特開２００７−００７２５４号公報
【発明の概要】
【発明が解決しようとする課題】
【０００５】
特許文献１のような計量米びつは、レバー等を操作することにより定量の米が排出されるので、ご飯を炊く際に必要な米の計量が容易である。
しかしながら、計量機能を持たせるための機構が複雑になるとともに構造上大型になる。
よって、製造コストが嵩むとともに、品質の劣化を遅らせるための冷蔵庫での保存には適さない。
【０００６】
それに対して、特許文献２及び３のような米びつは簡単な構造で小型であるので、製造コストが嵩むことはなく、品質の劣化を遅らせるための冷蔵庫での保存に好適である。
しかしながら、特許文献１の計量米びつと比較して米の計量が容易ではなく、米びつから所要量の米を取り出す際に、計量カップ又は蓋体で米を計量する作業が面倒である。
例えば所要量の米が３合で計量カップ及び蓋体の容積が１合でる場合、計量カップ及び蓋体で計量する作業を３回繰り返す必要があるので、米を取り出す作業に手間が掛かる。
【０００７】
その上、特許文献２の米びつでは、計量カップの容積で米を計量することから、蓋体を開けて計量カップを入れて計量しながら所要量の米を取り出し、その後に蓋体を閉める必要があるので手間が掛かる。
また、特許文献３の米びつでは、蓋体の容積で米を計量することから、蓋体を開けて蓋体の開口部を上向きにした状態で、容器本体を傾けて容器本体から蓋体へ米を移しながら計量して所要量の米を取り出し、その後に蓋体を閉める必要があるので手間が掛かる。その上さらに、容器本体から蓋体へ米を移す際に米が大盛りになったり蓋体から米が零れることがあるので，気をつけながら計量作業をする必要があるとともに、正確な計量ができない場合がある。
さらに、特許文献３の米びつのように蓋体で計量する構成では、例えば容器本体に貯蔵する米の容積が例えば図４のように大きくなると（図４の例では１２合）、蓋体の容積も大きくなるので（例えば３合になる）。したがって、米の所要量が蓋体の容積よりも少ない場合（例えば、１合又は２合の場合）には、蓋体ではなく計量カップを用いて計量する必要がある。
【０００８】
そこで本発明が前述の状況に鑑み、解決しようとするところは、簡単な構造で製造コストが嵩むことがなく冷蔵庫での保存に好適な小型形状でありながら、米の所要量の計量が容易で米を取り出す作業に手間が掛からない米びつを提供する点にある。
【課題を解決するための手段】
【０００９】
本発明に係る米びつは、前記課題解決のために、有底で上面開口を有する容器本体、及び前記上面開口を塞ぐ蓋体からなる、食用の米を貯蔵する米びつであって、
前記容器本体内に、前記容器本体の側壁内面及び底板上面に当接するように装着された仕切体を備え、
前記蓋体は、前記仕切体により仕切られた複数の仕切体収容空間に対応する複数の開口部を有するとともに、前記開口部を個別に開閉可能な複数の開閉部を備え、
前記仕切体の上面と前記蓋体とが当接することにより、前記底板上面から前記開口部へ繋がる複数の分割収容空間を形成し、
前記仕切体収容空間の容積、又は前記分割収容空間の容積は、前記米の所定量であることを特徴とする（請求項１）。
【００１０】
このような構成によれば、容器本体、蓋体、及び仕切体で米びつを構成することから、簡単な構造であるので製造コストが嵩まない。
その上、米びつを小型形状にして冷蔵庫に収納できるので、貯蔵する米の品質の劣化を遅らせることができる。
その上さらに、容器本体内に装着された仕切体の上面と蓋体とが当接することにより、容器本体の底板上面から蓋体の複数の開口部へ繋がる複数の分割収容空間を形成し、仕切体により仕切られた仕切体収容空間の容積、又は前記分割収容空間の容積は、米の所定量である。そして、複数の開口部は複数の開閉部により個別に開閉できる。
それにより、一つの開口部を開けた状態で容器本体を持って上下反転させれば、一つの分割収容空間内の米（所定量）が重力で流下して排出され、同時に複数の開口部を開けた状態で容器本体を持って上下反転させれば、開口部を開けた複数の分割収容空間内の米（所定量の複数倍）が重力で流下して排出される。
よって、開閉部を操作して、ご飯を炊く際における所要量の米に対応する開口部を開けた状態にし、例えば炊飯器の内釜の上方で米びつを上下反転することにより、計量について注意を払うことなく、容易かつ確実に所要量の米を米びつから取り出して前記内釜内へ移すことができる。
【００１１】
ここで、前記蓋体の開閉部は、前記蓋体の基部により水平方向へスライド可能に支持されたものであるのが好ましい実施態様である（請求項２）。
【００１２】
このような構成によれば、開口部を個別に開閉する開閉部の構造が簡単になるので、製造コストを低減できる。
その上、開口部を開ける際に、その開口部に対応する開閉部をスライド操作することにより、開口部が開いた状態を確実に保持できるとともに、開口部の上方に開閉部が位置しない。
よって、開口部を開けて米びつを上下反転させて米を流下させて排出する作業を行う際に、開閉部が邪魔になることがなく、作業性を向上できる。
【００１３】
また、本発明に係る米びつは、前記課題解決のために、有底で上面開口を有する容器本体、及び前記上面開口を塞ぐ蓋体からなる、食用の米を貯蔵する米びつであって、
前記容器本体内に、前記容器本体の側壁内面及び底板上面に当接するように装着された仕切体を備え、
前記蓋体は、その基部により水平方向へスライド可能に支持された一つの開閉部を備え、
前記仕切体は、前記開閉部のスライド方向に並ぶ複数の仕切体収容空間を形成し、
前記蓋体は、前記複数の仕切体収容空間に対応する複数の開口部を有し、
前記仕切体の上面と前記蓋体とが当接することにより、前記底板上面から前記開口部へ繋がる複数の分割収容空間を形成し、
前記仕切体収容空間の容積、又は前記分割収容空間の容積は、前記米の所定量であり、
前記開閉部をスライドさせる位置により、前記開口部を順次開放可能としたことを特徴とする（請求項３）。
【００１４】
このような構成によれば、容器本体、蓋体、及び仕切体で米びつを構成することから、簡単な構造であるので製造コストが嵩まない。特に、開閉部が一つであるので、請求項１及び２に係る発明よりも製造コストを低減できる。
その上、米びつを小型形状にして冷蔵庫に収納できるので、貯蔵する米の品質の劣化を遅らせることができる。
その上さらに、容器本体内に装着された仕切体の上面と蓋体とが当接することにより、容器本体の底板上面から蓋体の複数の開口部へ繋がる複数の分割収容空間を形成し、仕切体により仕切られた仕切体収容空間の容積、又は前記分割収容空間の容積は、米の所定量である。そして、一つの開閉部をスライドさせる位置により複数の開口部を順次開放できる。
それにより、開閉部をスライドさせて一つの開口部を開けた状態で容器本体を持って上下反転させれば、一つの分割収容空間内の米（所定量）が重力で流下して排出される。また、開閉部をスライドさせて同時に複数の開口部を開けた状態で容器本体を持って上下反転させれば、開口部を開けた複数の分割収容空間内の米（所定量の複数倍）が重力で流下して排出される。
よって、開閉部を操作して、ご飯を炊く際における所要量の米に対応する開口部を開けた状態にし、例えば炊飯器の内釜の上方で米びつを上下反転することにより、計量について注意を払うことなく、容易かつ確実に所要量の米を米びつから取り出して前記内釜内へ移すことができる。
【００１５】
さらに、本発明に係る米びつは、前記課題解決のために、有底で上面開口を有する容器本体、及び前記上面開口を塞ぐ蓋体からなる、食用の米を貯蔵する米びつであって、
前記容器本体内に、前記容器本体の側壁内面及び底板上面に当接するように装着された仕切体を備え、
前記蓋体は、前記容器本体により水平方向へスライド可能に支持され、
前記仕切体は、前記蓋体の下面に当接する上面を有して、前記蓋体のスライド方向に並ぶ複数の仕切体収容空間を形成し、
前記仕切体収容空間の容積は、前記米の所定量であり、
前記開閉部をスライドさせる位置により、前記仕切体収容空間の上面開口部を順次開放可能としたことを特徴とする（請求項４）。
【００１６】
このような構成によれば、請求項４に係る発明と同様の作用効果を奏する。
その上、容器本体に対して蓋体全体がスライドすることから蓋体の構造が簡単になるので、請求項４に係る発明よりも製造コストを低減できる。
【００１７】
ここで、平面視で角丸長方形状又は長方形状であるのがより好ましい実施態様である（請求項５）。
【００１８】
このような構成によれば、冷蔵庫内に収納しやすく、特に冷蔵庫のサイドポケットへの収納に好適である。
【００１９】
また、前記米の所定量は、精白米の所定量であり、
前記仕切体収容空間内で、前記底板上面に当接する嵩上げ台を備え、
前記仕切体収容空間の容積から前記嵩上げ台の上面から下の嵩上げ容積を除いた容積、又は前記分割収容空間の容積から前記嵩上げ台の上面から下の嵩上げ容積を除いた容積を、無洗米の所定量としてなるのが一層好ましい実施態様である（請求項６）。
【００２０】
このような構成によれば、米びつに精白米を貯蔵する際には米びつから嵩上げ台を取り出し、米びつに無洗米を貯蔵する際には米びつに嵩上げ台を入れることにより、米びつに精白米を入れる場合と米びつに無洗米を入れる場合とで米の高さ位置が同じになるので、米を入れる作業が容易になる。
その上、精白米の所定量が仕切体収容空間の容積である場合、仕切体収容空間の容積から前記嵩上げ容積を除いた容積が無洗米の所定量になり、精白米の所定量が分割収容空間の容積である場合、分割収容空間の容積から前記嵩上げ容積を除いた容積が無洗米の所定量になる。
それにより、米びつに精白米を貯蔵する際には米びつから嵩上げ台を取り出し、米びつに無洗米を貯蔵する際には米びつに嵩上げ台を入れることにより、精白米を計量して炊飯器の内釜に入れる場合と無洗米を計量して炊飯器の内釜に入れる場合とで米の正味量は変わらない。
よって、無洗米を計量して炊飯器の内釜に入れる場合に水を増やす調整作業をする必要がなく、炊飯器の目盛りどおりで使用できるので使い勝手を向上できる。
【００２１】
さらに、前記容器本体を透明又は半透明とし、前記容器本体に、精白米の所定量を収容する高さ位置、及び無洗米の所定量に対応する高さ位置にマーキングをしてなるのも一層好ましい実施態様である（請求項７）。
【００２２】
このような構成によれば、米びつ内に精白米を貯蔵する際には精白米のマーキングに合わせて精白米を入れ、米びつ内に無洗米を貯蔵する際には無洗米のマーキングに合わせて無洗米を入れておくことにより、精白米を計量して炊飯器の内釜に入れる場合と無洗米を計量して炊飯器の内釜に入れる場合とで米の正味量は変わらない。
よって、無洗米を計量して炊飯器の内釜に入れる場合に水を増やす調整作業をする必要がなく、炊飯器の目盛りどおりで使用できるので使い勝手を向上できる。
【発明の効果】
【００２３】
以上のように、本発明に係る米びつによれば、主に以下に示すような効果を奏する。
（１）簡単な構造であるので製造コストが嵩まない。
（２）米びつを小型形状にして冷蔵庫に収納できるので、貯蔵する米の品質の劣化を遅らせることができる。
（３）米の所要量の計量が容易で米を取り出す作業に手間が掛からない。
【図面の簡単な説明】
【００２４】
【図１】本発明の実施の形態１に係る米びつの斜視図である。
【図２】同じく縦断面部分分解斜視図である。
【図３】同じく分解斜視図である。
【図４】同じく要部拡大縦断面正面図である。
【図５】容器本体内に仕切体を装着した状態を示す、（ａ）は平面図、（ｂ）は縦断面正面図である。
【図６】仕切体収容空間内に嵩上げ台を装入した状態を示す縦断面正面図である。
【図７】開閉部の動作を示す要部拡大平面図であり、（ａ）は開閉部により開口部を塞いだ状態を、（ｂ）は開閉部を一方へスライドさせて隣接する一方の開口部を開放した状態を、（ｃ）は開閉部を他方へスライドさせて隣接する他方の開口部を開放した状態を示している。
【図８】米びつの部分斜視図であり、（ａ）は一つの開口部を開放した状態を、（ｂ）は二つの開口部を開放した状態を示している。
【図９】本発明の実施の形態２に係る米びつの部分斜視図であり、開閉部をスライドさせて一つの開口部を開放した状態を、（ｂ）は開閉部をさらにスライドさせて二つの開口部を開放した状態を示している。
【図１０】実施の形態２の変形例を示す米びつの部分斜視図である。
【図１１】同じく縦断面部分側面図である。
【発明を実施するための形態】
【００２５】
以下、本発明に係る実施形態を図面に基づいて説明する。
以下の実施形態において、米びつ１の平面視角丸長方形状の長辺方向を「前後方向」、平面視角丸長方形状の短辺方向を「左右方向」とする。
【００２６】
［実施の形態１］
＜米びつの構造の例＞
図１の斜視図、図２の縦断面部分分解斜視図、及び図３の分解斜視図に示すように、本発明の実施の形態１に係る米びつ１は、有底で上面開口２Ａを有する容器本体２、及び上面開口２Ａを塞ぐ蓋体３、並びに容器本体２内に収容される仕切体７からなる、食用の米を貯蔵するものである。米びつ１は、図３のように各部品を取り外すことができるので容易に清掃できる
ここで、容器本体２は、例えば、スチロール樹脂（ＰＳ）、ＡＳ樹脂（ＳＡＮ）、ＰＥＴ樹脂（ＰＥＴ）、又はアクリル樹脂（ＰＭＭＡ）製であり、透明又は半透明である。
また、蓋体３及び仕切体７は、例えば、ポリプロピレン（ＰＰ）、ＡＢＳ樹脂（ＡＢＳ）、ポリアセタール（ＰＯＭ）、ナイロン（ＰＡ）製である。
【００２７】
米びつ１は、例えば冷蔵庫のドアポケット内に収納できる大きさである平面視角丸長方形状であり、例えば、奥行き（左右方向長さ）は１０ｃｍ以下、幅（前後方長さ）及び高さは３０ｃｍ以下にする。
ただし、本発明に係る米びつは平面視角丸長方形状に限定されるものではなく、平面視長方形状、平面視正方形状、平面視円形状、平面視楕円形状等であってもよい。
米びつ１の形状を平面視で角丸長方形状又は長方形状にすることにより、冷蔵庫内に収納しやすく、特に冷蔵庫のサイドポケットへの収納に好適である。
【００２８】
容器本体２は、左右の側壁４，４及び前後の側壁５，５、並びに底板６からなり、蓋体３は、基部８及び開閉部１１〜１６からなる。容器本体２の上部外周面の嵌合部２Ｂと蓋体３の基部８の下部内周面の嵌合部８Ａとの嵌合により、容器本体２に蓋体３を取り付ける。
【００２９】
仕切体７は、図３に示すように、鉛直で前後方向に延びる縦仕切板Ｂに、鉛直で左右方向に延びる横仕切板Ｃ１〜Ｃ５を組み合わせた形状で一体のものであるが、別体で製作した縦仕切板Ｂ及び横仕切板Ｃ１〜Ｃ５を連結して一体化してもよい。
仕切体７は、その下面７Ｂが底板上面６Ａに当接した状態で容器本体２に装着される。この状態では、縦仕切板Ｂの前後の側辺部が前後に対向する側壁内面５Ａ，５Ａの一部である溝部５Ｂ，５Ｂ内に入り、横仕切板Ｃ１〜Ｃ５の左右の側辺部が左右に対向する側壁内面４Ａ，４Ａの一部である溝部４Ｂ，４Ｂ，…に入る。よって、仕切体７は、容器本体２の側壁内面５Ａ，５Ａ及び４Ａ，４Ａに当接する。
それにより、図５（ａ）の平面図に示すように、仕切体７により仕切られた１２個の仕切体収容空間Ｄ１１〜Ｄ１６，Ｄ２１〜Ｄ２６が形成される。
【００３０】
図３の分解斜視図に示すように、蓋部３の基部８は、図５（ａ）の１２個の仕切体収容空間Ｄ１１〜Ｄ１６，Ｄ２１〜Ｄ２６に対応する１２個の開口部Ａ１１〜Ａ１６，Ａ２１〜Ａ２６を有する。
図２の縦断面部分分解斜視図、図３の分解斜視図、及び図４の要部拡大縦断面正面図に示すように、基部８は、仕切体７の上面７Ａに下面９Ａが当接する仕切部９を有するので、米びつ１には、底板上面６Ａから開口部Ａ１１〜Ａ１６，Ａ２１〜Ａ２６に繋がる１２個の分割収容空間Ｓ１１〜Ｓ１６，Ｓ２１〜Ｓ２６が形成される。
ここで、仕切体収容空間Ｄ１１〜Ｄ１６，Ｄ２１〜Ｄ２６の容積、又は分割収容空間Ｓ１１〜Ｓ１６，Ｓ２１〜Ｓ２６は、米の所定量とし、例えば１合とする。前記所定量は、２合、３合等であってもよく、半合であってもよい。
なお、蓋部３の基部８に仕切部９を設けずに、図４に示す仕切体７の上面７Ａの位置を上方へ延ばして基部８に当接させてもよい。
【００３１】
蓋体３の基部８には支持部１０が設けられ、支持部１０の前後の係合凸部１０Ａ，１０Ｂを、開閉部１１〜１６の前後の係合凹部Ｅ，Ｆに係合させることにより、開閉部１１〜１６は、支持部１０により左右方向へスライド可能に支持される。
それにより、開閉部１１〜１６を左右方向へスライドさせることにより開口部Ａ１１〜Ａ１６，Ａ２１〜Ａ２６を個別に開閉できる。
なお、開口部Ａ１１〜Ａ１６，Ａ２１〜Ａ２６を個別に開閉する構造は、基部８により開閉部１１〜１６を水平方向へスライド可能に支持する構成に限定されるものではなく、開閉部を水平軸まわりに回動させることにより開口部Ａ１１〜Ａ１６，Ａ２１〜Ａ２６を個別に開閉する構造等であってもよい。
【００３２】
＜米びつへの米の入れ方の例＞
（仕切体収容空間の容積が米の所定量である場合）
米びつ１から蓋体３を外して、図５（ａ）の平面図、及び図５（ｂ）の縦断面正面図に示すように、容器本体２及び仕切体７のみにする。
この状態で、容器本体２の上面開口２Ａから、仕切体７の上面７Ａの高さまで米を入れることにより、仕切体収容空間Ｄ１１〜Ｄ１６，Ｄ２１〜Ｄ２６に所定量の米が入る。
次に、容器本体２に蓋体３を取り付ける。それにより１２個の分割収容空間Ｓ１１〜Ｓ１６，Ｓ２１〜Ｓ２６内には、それぞれ所定量の米（例えば１合の米）が入った状態になる。
【００３３】
（分割収容空間の容積が米の所定量である場合）
米びつ１から蓋体３を外して、図５（ａ）の平面図、及び図５（ｂ）の縦断面正面図に示すように、容器本体２及び仕切体７のみにする。
この状態で、容器本体２の上面開口２Ａから、仕切体７の上面７Ａの高さまで米を入れることにより、仕切体収容空間Ｄ１１〜Ｄ１６，Ｄ２１〜Ｄ２６に所定量の米が入る。
次に、容器本体２に蓋体３を取り付ける。
次に、開閉部１１〜１６を操作して開口部Ａ１〜Ａ１６，Ａ２１〜Ａ２６から米を入れ、分割収容空間Ｓ１１〜Ｓ１６，Ｓ２１〜Ｓ２６を米で一杯にする。それにより１２個の分割収容空間Ｓ１１〜Ｓ１６，Ｓ２１〜Ｓ２６内には、それぞれ所定量の米（例えば１合の米）が入った状態になる。
【００３４】
あるいは、米びつ１から蓋体３を外して容器本体２及び仕切体７のみにした図５（ｂ）の縦断面正面図に示す状態で、容器本体２の上面開口２Ａから、容器本体２が略摺りきり一杯になるように米を入れた後、容器本体２に蓋体３を取り付けた状態で、分割収容空間Ｓ１１〜Ｓ１６，Ｓ２１〜Ｓ２６に所定量の米（例えば１合の米）が入るようにしてもよい。
【００３５】
＜無洗米への対応＞
米びつ１の前記所定量が精白米の所定量である場合、米びつ１に無洗米を入れると、精白米より米の正味量が多くなるので、炊飯器の目盛りより水を多く入れる必要が生じて面倒である。
そこで、図６の縦断面正面図に示すように、仕切体収容空間Ｄ１１〜Ｄ１６，Ｄ２１〜Ｄ２６の各々に、底板上面６Ａに当接する嵩上げ台Ｐ，Ｐ，…を入れ、仕切体収容空間Ｄ１１〜Ｄ１６，Ｄ２１〜Ｄ２６の容積から嵩上げ台Ｐの上面から下の嵩上げ容積を除いた容積、又は分割収容空間Ｓ１１〜Ｓ１６，Ｓ２１〜Ｓ２６の容積から嵩上げ台Ｐの上面から下の嵩上げ容積を除いた容積を無洗米の所定量とする。
それにより、米びつ１に精白米を貯蔵する際には米びつ１から嵩上げ台Ｐ，Ｐ，…を取り出し、米びつ１に無洗米を貯蔵する際には米びつ１に嵩上げ台Ｐ，Ｐ，…を入れることにより、米びつ１に精白米を入れる場合と米びつ１に無洗米を入れる場合とで米の高さ位置が同じになるので、米を入れる作業が容易になる。
【００３６】
また、精白米の所定量が仕切体収容空間Ｄ１１〜Ｄ１６，Ｄ２１〜Ｄ２６の容積である場合、仕切体収容空間Ｄ１１〜Ｄ１６，Ｄ２１〜Ｄ２６の容積から前記嵩上げ容積を除いた容積が無洗米の所定量になり、精白米の所定量が分割収容空間Ｓ１１〜Ｓ１６，Ｓ２１〜Ｓ２６の容積である場合、分割収容空間Ｓ１１〜Ｓ１６，Ｓ２１〜Ｓ２６の容積から前記嵩上げ容積を除いた容積が無洗米の所定量になる。
それにより、米びつ１に精白米を貯蔵する際には米びつ１から嵩上げ台Ｐ，Ｐ，…を取り出し、米びつ１に無洗米を貯蔵する際には米びつ１に嵩上げ台Ｐ，Ｐ，…を入れることにより、精白米を計量して炊飯器の内釜に入れる場合と無洗米を計量して炊飯器の内釜に入れる場合とで米の正味量は変わらない。
よって、無洗米を計量して炊飯器の内釜に入れる場合に水を増やす調整作業をする必要がなく、炊飯器の目盛りどおりで使用できるので使い勝手を向上できる。
【００３７】
さらに、容器本体２は透明又は半透明であることから、容器本体２内に入れた米の量を確認しやすいので、容器本体２に、精白米の所定量を収容する高さ位置、及び無洗米の所定量に対応する高さ位置にマーキングをしてもよい。
それにより、米びつ１内に精白米を貯蔵する際には精白米のマーキングに合わせて精白米を入れ、米びつ１内に無洗米を貯蔵する際には無洗米のマーキングに合わせて無洗米を入れておくことにより、精白米を計量して炊飯器の内釜に入れる場合と無洗米を計量して炊飯器の内釜に入れる場合とで米の正味量は変わらない。
よって、無洗米を計量して炊飯器の内釜に入れる場合に水を増やす調整作業をする必要がなく、炊飯器の目盛りどおりで使用できるので使い勝手を向上できる。
【００３８】
＜開口部を個別に開閉可能な開閉部の構成例＞
開口部Ａ２６，Ａ１６、及び開閉部１６を代表させて説明する。
図７（ａ）の要部拡大平面図のように開閉部１６で開口部Ａ２６，Ａ１６を塞いだ状態では、支持部１０の前後の係合凸部１０Ａ，１０Ｂの前後の係止凹部１０Ｃ，１０Ｃに、開閉部１６の前後の係止凸部Ｇ１，Ｇ１が係止しているので、蓋体１６が開口部Ａ２６，Ａ１６を塞いだ状態を確実に保持できる。
また、図７（ａ）の要部拡大平面図の状態から、開閉部１６を右方へスライドさせて図７（ｂ）の要部拡大平面図の状態にすると、支持部１０の前後の係合凸部１０Ａ，１０Ｂの前後の係止凹部１０Ｃ，１０Ｃに、開閉部１６の前後の係止凸部Ｇ２，Ｇ２が係止しているので、開口部Ａ２６を開放した状態を確実に保持できる。
さらに、図７（ａ）の要部拡大平面図の状態から、開閉部１６を左方へスライドさせて図７（ｃ）の要部拡大平面図の状態にすると、支持部１０の前後の係合凸部１０Ａ，１０Ｂの前後の係止凹部１０Ｃ，１０Ｃに、開閉部１６の前後の係止凸部Ｇ３，Ｇ３が係止しているので、開口部Ａ１６を開放した状態を確実に保持できる。
【００３９】
このような蓋体３の基部８により蓋体３の開閉部１１〜１６を水平方向へスライド可能に支持する構成により、開口部Ａ１１〜Ａ１６，Ａ２１〜Ａ２６を個別に開閉する開閉部１１〜１６の構造が簡単になるので、製造コストを低減できる。
その上、開口部Ａ１１〜Ａ１６，Ａ２１〜Ａ２６を開ける際に、その開口部に対応する開閉部をスライド操作することにより、開口部が開いた状態を確実に保持できるとともに、開口部の上方に開閉部が位置しない。
よって、開口部を開けて米びつを上下反転させて米を流下させて排出する作業を行う際に、開閉部が邪魔になることがなく、作業性を向上できる。
【００４０】
＜本発明の実施の形態１に係る米びつの作用効果＞
本発明の実施の形態１に係る米びつ１によれば、容器本体２、蓋体３、及び仕切体７で米びつ１を構成することから、簡単な構造であるので製造コストが嵩まない。
その上、米びつ１を小型形状にして冷蔵庫に収納できるので、貯蔵する米の品質の劣化を遅らせることができる。
その上さらに、容器本体２内に装着された仕切体７の上面７Ａと蓋体３とが当接することにより、容器本体２の底板上面６Ａから蓋体３の複数の開口部Ａ１１〜Ａ１６，Ａ２１〜Ａ２６へ繋がる複数の分割収容空間Ｓ１１〜Ｓ１６，Ｓ２１〜Ｓ２６を形成し、仕切体７により仕切られた仕切体収容空間Ｄ１１〜Ｄ１６，Ｄ２１〜Ｄ２６の容積、又は分割収容空間Ｓ１１〜Ｓ１６，Ｓ２１〜Ｓ２６の容積は、米の所定量である。そして、複数の開口部Ａ１１〜Ａ１６，Ａ２１〜Ａ２６は複数の開閉部１１〜１６により個別に開閉できる。
【００４１】
それにより、例えば図８（ａ）の部分斜視図のように１個の開口部Ａ２６を開けた状態で容器本体２を持って上下反転させれば、１個の分割収容空間Ｓ２６内の米（例えば所定量である１合）が重力で流下して排出され、例えば図８（ｂ）の部分斜視図のように同時に２個の開口部Ａ２５，Ａ２６を開けた状態で容器本体２を持って上下反転させれば、開口部Ａ２５，Ａ２６を開けた二つ分割収容空間Ｓ２５，Ｓ２６内の米（例えば所定量である１合の２倍である２合）が重力で流下して排出される。同様に、本実施の形態では、同時に６個の開口部を開けることができるので、例えば１合から６合まで１合刻みで計量した米を排出できる。
よって、開閉部１１〜１６を操作して、ご飯を炊く際における所要量の米に対応する開口部を開けた状態にし、例えば炊飯器の内釜の上方で米びつ１を上下反転することにより、計量について注意を払うことなく、容易かつ確実に所要量の米を米びつ１から取り出して前記内釜内へ移すことができる。
【００４２】
［実施の形態２］
図９（ａ）及び図９（ｂ）の部分斜視図に示す本発明の実施の形態２に係る米びつ１において、実施の形態１の図１ないし図５と同一符号は同一又は相当部分を示している。
本実施の形態の米びつ１における蓋体３の開閉部１７は、実施の形態１の開閉部１１〜１６のように複数ではなく、一つのみであり、左右のレールＲ，Ｒによりガイドされ、基部８により前後方向へスライド可能に支持される。
【００４３】
仕切体７は、容器本体２内に、容器本体２の側壁４，４の内面及び底板の上面に当接するように装着され、開閉部１７のスライド方向である前後方向に並ぶ複数の仕切体収容空間を形成する。
そして、蓋体３は、開閉部１７のスライド方向に並ぶ複数の仕切体収容空間に対応する複数の開口部Ａ１，Ａ２，…を有する。
【００４４】
仕切体７の上面と蓋体３の基部８とが当接することにより、底板上面から開口部Ａ１，Ａ２，…へ繋がる複数の分割収容空間Ｓ１，Ｓ２，…を形成する。
そして、前記仕切体収容空間の容積、又は分割収容空間Ｓ１，Ｓ２，…の容積は、米の所定量であり、開閉部１７をスライドさせる位置により、開口部Ａ１，Ａ２，…を順次開放できる。
それにより、例えば図９（ａ）の部分斜視図のように１個の開口部Ａ１を開けた状態で容器本体２を持って上下反転させれば、１個の分割収容空間Ｓ１内の米が重力で流下して排出され、例えば図９（ｂ）の部分斜視図のように同時に２個の開口部Ａ１，Ａ２を開けた状態で容器本体２を持って上下反転させれば、開口部Ａ１，Ａ２を開けた二つ分割収容空間Ｓ１，Ｓ２内の米が重力で流下して排出される。
よって、開閉部１７を操作して、ご飯を炊く際における所要量の米に対応する開口部を開けた状態にし、例えば炊飯器の内釜の上方で米びつ１を上下反転することにより、計量について注意を払うことなく、容易かつ確実に所要量の米を米びつ１から取り出して前記内釜内へ移すことができる。
その上、実施の形態２の米びつ１によれば、開閉部が一つであるので、実施の形態１の米びつ１よりも製造コストを低減できる。
【００４５】
＜実施の形態２の変形例＞
図１０の部分斜視図、及び図１１の縦断面部分側面図に示す変形例の米びつ１は、容器本体２に対して蓋体３全体がスライドするものである。
すなわち、蓋体３の左右側部の係合凸部３Ｂ，３Ｂを、容器本体２の左右に対向する側壁内面４Ａ，４Ａ上部の前後方向に延びる係合凹部４Ｂ，４Ｂに係合させることにより、蓋体３は、容器本体２により前後方向へスライド可能に支持される。
なお、容器本体２により蓋体３をスライド可能に支持する構造を、容器本体２の側壁４，４の外面に形成してもよい。
【００４６】
仕切体７は、５枚の横仕切板Ｃ１〜Ｃ５により構成され、横仕切板Ｃ１〜Ｃ５の左右の側辺部が左右に対向する側壁内面４Ａ，４Ａの一部である溝部４Ｂ，４Ｂ，…に入る。このように容器本体２内に仕切体７を装着した状態では、仕切体７は、容器本体２の側壁４，４の内面４Ａ，４Ａ及び底板の上面に当接する。
それにより、図１０の部分斜視図に示すように、容器本体２内には、蓋体３のスライド方向である前後方向に並ぶ、仕切体７により仕切られた６個の仕切体収容空間Ｄ１〜Ｄ６が形成される。
そして、図１１の縦断面部分側面図に示すように、仕切体７の上面７Ａに蓋体３の下面３Ａが当接する。
【００４７】
仕切体収容空間Ｄ１〜Ｄ６の容積は、米の所定量であり、蓋体３をスライドさせる位置により、仕切体収容空間Ｄ１〜Ｄ６の上面開口部を順次開放できる。
例えば、蓋体３を図１０のようにスライドさせることにより、仕切体収容空間Ｄ１〜Ｄ３の上面開口部を順次開放でき、蓋体３を図１０の逆方向にスライドさせることにより、仕切体収容空間Ｄ６〜Ｄ４の上面開口部を順次開放できる。
このような構成によれば、図９に示す実施の形態２に係る米びつ１と同様の作用効果を奏するとともに、容器本体２に対して蓋体全体３がスライドすることから蓋体３の構造が簡単になるので、図９の米びつ１よりも製造コストを低減できる。
【符号の説明】
【００４８】
１  米びつ
２  容器本体
２Ａ  上面開口
２Ｂ  嵌合部
３  蓋体
３Ａ  下面
３Ｂ  係合凸部
４，５  側壁
４Ａ，５Ａ  側壁内面
４Ｂ，５Ｂ  溝部
４Ｃ  係合凹部
６  底板
６Ａ  底板上面
７  仕切体
７Ａ  上面
７Ｂ  下面
８  基部
８Ａ  嵌合部
９  仕切部
９Ａ  下面
１０  支持部
１０Ａ，１０Ｂ  係合凸部
１０Ｃ  係止凹部
１１〜１７  開閉部
Ａ１１〜Ａ１６，Ａ２１〜Ａ２６  開口部
Ａ１，Ａ２  開口部
Ｂ  縦仕切板
Ｃ１〜Ｃ５  横仕切板
Ｄ１〜Ｄ６，Ｄ１１〜Ｄ１６，Ｄ２１〜Ｄ２６  仕切体収容空間
Ｅ，Ｆ  係合凹部
Ｇ１，Ｇ２，Ｇ３  係止凸部
Ｐ  嵩上げ台
Ｒ  レール
Ｓ１１〜Ｓ１６，Ｓ２１〜Ｓ２６  分割収容空間
Ｓ１，Ｓ２  分割収容空間
【図１】
2018175785.tif 000003
【図２】
2018175785.tif 000004
【図３】
2018175785.tif 000005
【図４】
2018175785.tif 000006
【図５】
2018175785.tif 000007
【図６】
2018175785.tif 000008
【図７】
2018175785.tif 000009
【図８】
2018175785.tif 000010
【図９】
2018175785.tif 000011
【図１０】
2018175785.tif 000012
【図１１】
2018175785.tif 000013